(57)【要約】【課題】物干竿受具が回動や上下動する物干具に使用するのに特に適している物干竿装置を提供すること。【解決手段】物干竿５には取付具７が挿入されており、この取付具７によって係止具６が物干竿５に固定される。係止具６が物干竿５に固定された状態では、係止具６と取付具７で閉塞された空間部１３が形成される。この空間部１３の中に物干竿受具１の一部が挿通されて閉塞するように、物干竿５に係止具６を固定してあるので、物干竿５は、回転するのも長手方向に移動するのも、係止具６が物干竿受具１の腕杆３に当接する範囲に制限されることになる。【選択図】図１
2006326201.tif 000002
【特許請求の範囲】
【請求項１】
物干竿受具に支持される物干竿と、物干竿に固定される係止具とを有し、係止具は、物干竿の一端部又は一端部近傍に、物干竿受具の一部が挿通可能な空間部を形成して固定され、固定された時、物干竿は、１回転以上回動しないと共に物干竿受具から抜け落ちないように構成されていることを特徴とする物干竿装置。
【発明の詳細な説明】
【技術分野】
【０００１】
本発明は、物干具に支持されている物干竿が、容易に外れたり回転したりすることがないようにした物干竿装置に関するものである。
【背景技術】
【０００２】
従来より、物干具に支持されている物干竿に布団等の重いものを掛けて干した時に、バランスよく干さないと、物干竿が回転して干したものが落ちてしまうという問題や、物干竿が傾いた時等に長手方向に移動して落下してしまうという問題があり、それらの問題を解決するために、例えば、実願昭５６―９４４６１号（実開昭５８−７８９号）考案のように、一対のクリップを軸で連結した竿おさえ器が提案されている。
【特許文献１】実開昭５８−７８９号公報
【発明の開示】
【発明が解決しようとする課題】
【０００３】
物干具には、上記背景技術に記載されているような、物干竿受具が固定されているものに加え、最近では、物干竿受具が回動したり、上下動したりすることができる物干具が市販されている。このような物干具にあっては、一対の物干竿受具の片方づつを回動あるいは上下動するものであり、この場合、物干竿は大きく傾くことになる。
【０００４】
上記従来例においては、種々の太さの物干竿に取付できる汎用性を有してはいるものの、上述のような最近の物干具に取り付けた場合には、物干竿の傾きや太さによっては容易に外れて物干竿が落下してしまい、竿おさえとしての目的を達成し得ず、特に高層住宅では極めて危険であるという問題が生じる。
【０００５】
本発明は、以上のような事情に鑑み、物干竿受具が回動や上下動する物干具に使用しても、物干竿が落下しない物干竿装置を提供することを課題としている。
【課題を解決するための手段】
【０００６】
本発明は、上記の課題を解決するために、物干竿受具に支持される物干竿と、物干竿に固定される係止具とを有し、係止具は、物干竿の一端部又は一端部近傍に、物干竿受具の一部が挿通可能な空間部を形成して固定され、固定された時、物干竿は、１回転以上回動しないと共に物干竿受具から抜け落ちないように構成されているものである。
【発明の効果】
【０００７】
以上のように本発明によれば、物干竿は、布団等の重いものを物干竿に干した時でも、物干竿が、長手方向の中心軸を中心として何回も回転することがなく、干したものが落ちにくくなると共に、物干竿装置を支持している一対の物干竿受具の片方づつを回動あるいは上下動して、物干竿が傾いたとしても、係止具は物干竿から外れることがなく、物干竿は、物干竿受具から抜けて落下する危険がないという効果がある。
【発明を実施するための最良の形態】
【０００８】
図１〜図２に基づいて本発明の第１の実施形態を説明する。
物干竿受具１は、通常２つを一対として使用されるもので、ベランダの手摺等に固定される支持体２と、支持体２に回動可能かつ摺動可能に取り付けられる腕杆３を有している。腕杆３には、形状が略楕円形状の竿受部４・・・４を３つ設けてある。
【０００９】
物干竿５は、断面形状が略円形状で下部に蟻溝状の取付用溝１０を設け、この取付用溝１０に、両端部に取付ナット９・９を保持する取付具７を端部より挿入する。取付具７の中間部には、物干竿５に挿入した時に、物干竿５の表面より突出する受部１２を設けてあり、物干竿５が物干竿受具１の竿受部４に支持された時、この合成樹脂製の受部１２が接触するようにしてある。
【００１０】
係止具６は、略半円弧状で両端部には取付孔１１・１１を設けてあり、この取付孔１１・１１は、取付用溝１０に挿入されている取付ナット９・９に対応するようになっている。
【００１１】
係止具６を固定するには、物干竿５の一端部近傍に取付ナット９・９を保持する取付具７を挿入しておき、この取付具７の受部１２が竿受部４に接触するように、物干竿５を物干竿受具１の竿受部４に挿通して支持させてから、係止具６を、下方から竿受部４下部を跨ぐようにあてがい、取付孔１１・１１から取付ねじ８・８を取付ナット９・９に螺合させて締め付ければよい。なお、係止具６は、長手方向に伸びている取付用溝１０に挿入された取付ナット９・９に固定されるので、物干竿５の任意の位置に固定可能である。
【００１２】
係止具６は、物干竿５に固定された状態では、係止具６と、取付具７の受部１２で閉塞された空間部１３が形成される。そして、この空間部１３の中に物干竿受具１の一部が挿通されて閉塞するように、物干竿５に係止具６を固定してあるので、物干竿５は、回転するのも長手方向に移動するのも、係止具６が物干竿受具１の腕杆３に当接する範囲に制限されることになる。
【００１３】
図３〜図４に基づいて本発明の第２の実施形態を説明する。
物干竿受具２１は、通常２つを一対として使用されるもので、ベランダの手摺等に固定される支持体２２と、支持体２２に回動可能かつ摺動可能に取り付けられる腕杆２３を有している。腕杆２３には、形状が略楕円形状の竿受部２４・・・２４を３つ設けてある。
【００１４】
物干竿２５は、断面形状が円形状で、端部の２箇所に、長手方向に間隔をあけて並ぶ取付孔３３・３４を設けてあり、一端部には、端部キャップを兼用する有底円筒状の取付具２７が取り付けられて、これに係止具２６が取り付けられる。取付具２７には、物干竿２５の取付孔３３・３４に対応する位置に同様な取付孔３５・３６を、さらに端面中央に取付孔３７を設けてある。
【００１５】
係止具２６は、金属製で板状の本体２９を略半円状に折り曲げて形成し、一端を内側に折り曲げて引掛部３１とし、他端を少し伸ばしてねじ孔３２を設けてある。また、係止具２６の内側面には、合成樹脂製のカバー３０を被着してある。
【００１６】
係止具２６を取り付けるには、物干竿２５の一端部に取付具２７を被嵌し、この取付具２７を物干竿受具２１の竿受部２４に挿通して支持させてから、係止具２６を、下方から竿受部２４下部を跨ぐように物干竿２５の取付孔３３・３４及び取付具２７の取付孔３５・３６から挿入する。そして、引掛部３１が物干竿２５の取付孔３４に係合するように、係止具２６を外側に移動させてから、取付具２７の端面の取付孔３７から取付ねじ２８を係止具２６のねじ孔３２に螺合して締め付けて固定する。
【００１７】
係止具２６が物干竿２５に固定された状態では、係止具２６と取付具２７で閉塞された空間部３８が形成される。そして、この空間部３８の中に物干竿受具２１の一部が挿通されて閉塞するように、物干竿２５に係止具２６及び取付具２７を固定してあるので、物干竿２５は、回転するのも長手方向に移動するのも、係止具２６が物干竿受具２１の腕杆２３に当接する範囲に制限されることになる。
【００１８】
図５〜図７に基づいて本発明の第３の実施形態を説明する。
物干竿受具４１は、通常２つを一対として使用されるもので、ベランダの手摺等に固定される支持体４２と、支持体４２に回動可能かつ摺動可能に取り付けられる腕杆４３を有している。腕杆４３には、形状が略楕円形状の竿受部４４・・・４４を３つ設けてある。
【００１９】
物干竿４５は、断面形状が円形状で、一端部には、有底円筒状の取付具４７と、半円弧状の係止具４６とが一体成形されたものが、端部キャップを兼用して取り付けられる。
【００２０】
取付具４７の下部には取付孔５０を、係止具４６の先端部には係合突起５１をそれぞれ設けると共に、物干竿４５には、取付孔５０に対応する位置に長孔５３を、係合突起５１に対応する位置に係合孔５２を設けてある。
【００２１】
取付具４７と係止具４６とが一体成形されたものを物干竿４５に取り付けるには、取付孔５０に取付ねじ４８を挿通して取付ナット４９を緩く締めておき係止具４６が物干竿受具４１の竿受部４４の下方を跨ぐようにしてから、物干竿４５の一端部を取付具４７の中に挿入する。すると、長孔５３に取付ねじ４８のねじ部が挿入されると共に、係合突起５１が係合孔５２に係合するので、その後、取付ねじ４８を締め付ければ固定することができる。
【００２２】
取付具４７と係止具４６とが一体成形されたものが物干竿４５に固定された状態では、係止具４６と物干竿４５とで閉塞された空間部５４が形成される。そして、この空間部５４の中に物干竿受具４１の一部が挿通されて閉塞するように、物干竿４５に係止具４６を固定してあるので、物干竿４５は、回転するのも長手方向に移動するのも、係止具４６が物干竿受具４１の腕杆４３に当接する範囲に制限されることになる。
【００２３】
図８〜図９に基づいて本発明の第４の実施形態を説明する。
物干竿受具６１は、通常２つを一対として使用されるもので、ベランダの手摺等に固定される支持体６２と、支持体６２に回動可能かつ摺動可能に取り付けられる腕杆６３を有している。腕杆６３には、形状が略楕円形状の竿受部６４・・・６４を３つ設けてある。
【００２４】
物干竿６５は、断面形状が円形状で、一端部には、端部キャップを兼用する有底円筒状の取付具６７が被嵌して取り付けられ、この取付具６７には、略半円弧状の係止具６６の一端部が回動可能に取り付けられ、その他端部には、ねじ孔６９が設けられている。また、取付具６７には、周面に、係止具６６のねじ孔６９を設けた他端部が挿入される取付孔７０を、端面に取付孔７１を設けてある。なお図示しないが、物干竿６５には、取付具６７を被嵌した時、取付孔７０に対応する位置に同様な取付孔を設けてある。
【００２５】
係止具６６を取り付けるには、物干竿６５の一端部に取付具６７を被嵌し、この取付具６７を物干竿受具６１の竿受部６４に挿通して支持させてから、竿受部６４の下部を跨ぐように、係止具６６を回動させてその先端を取付具６７の取付孔７０及び物干竿の取付孔（図示せず）に挿入して、取付具６７の端面から取付ねじ６８を係止具６６のねじ孔６９に螺合して締め付けて固定する。
【００２６】
係止具６６が固定された状態では、係止具６６と取付具６７で閉塞された空間部７２が形成される。そして、この空間部７２の中に物干竿受具６１の一部が挿通されて閉塞するように、物干竿６５に係止具６６を固定してあるので、物干竿６５は、回転するのも長手方向に移動するのも、係止具６６が物干竿受具６１の腕杆６３に当接する範囲に制限されることになる。
【００２７】
以上の実施形態では、空間部は、係止具と物干竿あるいは取付具とで閉塞されて形成されているが、その中に位置する物干竿受具の一部が、抜け出ることがなければ、完全に閉塞されていなくてもよい。
【００２８】
また、係止具を物干竿に固定する方法は、上記実施形態に限定されるものではなく、係止具を直接物干竿にねじ止めして固定したり、係止具を物干竿に金属ベルトで締め付けて固定する等種々のものが考えられる。
【図面の簡単な説明】
【００２９】
【図１】第１の実施形態の使用状態を示す要部の斜視図である。
【図２】第１の実施形態の要部の分解斜視図である。
【図３】第２の実施形態の使用状態を示す要部の斜視図である。
【図４】第２の実施形態の要部の分解斜視図である。
【図５】第３の実施形態の使用状態を示す要部の斜視図である。
【図６】第３の実施形態の要部の分解斜視図である。
【図７】第３の実施形態の要部の斜視図である。
【図８】第４の実施形態の使用状態を示す要部の斜視図である。
【図９】第４の実施形態の要部の分解斜視図である。
【符号の説明】
【００３０】
１    物干竿受具
５    物干竿
６    係止具
１３    空間部
２１    物干竿受具
２５    物干竿
２６    係止具
３８    空間部
４１    物干竿受具
４５    物干竿
４６    係止具
５４    空間部
６１    物干竿受具
６５    物干竿
６６    係止具
７２    空間部
【図１】
2006326201.tif 000003
【図２】
2006326201.tif 000004
【図３】
2006326201.tif 000005
【図４】
2006326201.tif 000006
【図５】
2006326201.tif 000007
【図６】
2006326201.tif 000008
【図７】
2006326201.tif 000009
【図８】
2006326201.tif 000010
【図９】
2006326201.tif 000011